(57)【特許請求の範囲】
【請求項１】
エアゾール容器の上端部に設けられる内容物を吐出するための吐出具であって、その下端周縁部がエアゾール容器の上方外周縁部に冠着され、その下面略中央部にはエアゾール容器の上端に位置するバルブステムと接続する流通路が形成され、この流通路の出口が吐出口を形成し、この流通路の外部で一体的に設けられた押下部を有し、この押下部を押下することにより前記流通路の入口部がバルブステムを押下して内容物が前記吐出口から吐出されるエアゾール容器用吐出具において、
前記吐出口が設けられた吐出口部を先細に形成し、この吐出口の先端周縁部からその長手方向の根元部側に向って水平方向の横幅が略同一幅の切込を複数設け、
且つこれらの切込の基端部のそれぞれから長手方向先端側に向って逆Ｖ字形状の突起部を前記切込の中間部まで設けたことを特徴とするエアゾール容器用吐出具。
【発明の詳細な説明】
【技術分野】
【０００１】
本発明は、ムース状又はフォーム状の整髪料等が吐出されるエアゾール容器の上端部に設けられる内溶物を吐出するための吐出具の改良に関するものである。
【背景技術】
【０００２】
従来のこの種のエアゾール容器用吐出具としては、下記特許文献に図示された包装容器用吐出ノズルが存在している。
この吐出用ノズルは、特にその用途についての記載はないが、髪用のスタイリングフォーム用のものと見られ、本発明に係る吐出具と同様の用途に使用されるものである。
【０００３】
この従来例においては、その添付図面から解る通り、略円筒形状の吐出口部分の先端部がほんの少しだけ内側に湾曲し、その先端周縁部に略Ｖ字形状の切込を複数、図面では６個形成されたものである。
【０００４】
これにより容器内部に収容された内容物（整髪料）がフォーム状（泡状）に、且つその横断面がその平面図の吐出口形状である外形が波形の円形形状に吐出されることとなるものである。
これにより、吐出された整髪用フォーム等の美観が向上するものである。
【先行技術文献】
【特許文献】
【０００５】
【特許文献１】意匠登録第１５２０２８８号公報
【発明の概要】
【発明が解決しようとする課題】
【０００６】
本発明においては、上記の従来の吐出用ノズルと同様に、その吐出された各種用途に使用されるムース状又はフォーム状の内容液が吐出された際の美観を向上させるために創案されたものであるが、これに加えて、内容物が吐出された際の形状維持をより向上させること、つまり、当該形状をよりシャープなものとして少しでも長くその形状が維持されることをその課題とし、更に、内容物に含まれた芳香成分の効果を最大に発揮できる吐出ムース又はフォームを提供することをその課題としている。
【０００７】
内容物の芳香効果は、吐出されたムース状等の内容物の外表面積が大きければ大きいほどその効果が大きくなるため、その横断面形状を工夫することにより多くの角部を設けたり、吐出されたその内容物の形状がより長く保持される必要があるからである。
【課題を解決するための手段】
【０００８】
上記課題を解決するために、本発明の第１のものは、エアゾール容器の上端部に設けられる内容物を吐出するための吐出具であって、その下端周縁部がエアゾール容器の上方外周縁部に冠着され、その下面略中央部にはエアゾール容器の上端に位置するバルブステムと接続する流通路が形成され、この流通路の出口が吐出口を形成し、この流通路の外部で一体的に設けられた押下部を有し、この押下部を押下することにより前記流通路の入口部がバルブステムを押下して内容物が前記吐出口から吐出されるエアゾール容器用吐出具において、前記吐出口が設けられた吐出口部を先細に形成し、この吐出口の先端周縁部からその長手方向の根元部側に向って水平方向の横幅が略同一幅の切込を複数設け、且つこれらの切込の基端部のそれぞれから長手方向先端側に向って逆Ｖ字形状の突起部を前記切込の中間部まで設けたことを特徴とするエアゾール容器用吐出具である。
【発明の効果】
【００１１】
本発明の第１のものにおいては、エアゾール容器用の吐出具であって、その下端周縁部がエアゾール容器の上方外周縁部に冠着され、その下面略中央部にはエアゾール容器の上端に位置するバルブステムと接続する流通路が形成され、この流通路の出口が吐出口を形成し、この流通路の外部で一体的に設けられた押下部を有し、この押下部を押下することにより前記流通路の入口部がバルブステムを押下して内容物が前記吐出口から吐出されるエアゾール容器用吐出具において、前記吐出口が設けられた吐出口部分を先細に形成し、この吐出口の先端周縁部からその長手方向の根元部側に向って水平方向の横幅が略同一幅の切込を複数設け、且つこれらの切込の基端部のそれぞれから長手方向先端側に向って逆Ｖ字形状の突起部を前記切込の中間部まで設けており、これによって吐出された内容物の形状は、円柱形状の外周面に凹凸が形成されたものとなり、その外周面積がより大きく形成されることとなる。  
【００１２】
これにより、吐出された内容物の外観の形態がより美的なものとなるばかりでなく、その内容物に含まれる芳香成分から発揮される芳香効果がより大きく発揮されるのである。
【図面の簡単な説明】
【００１６】
【図１】本発明の第一実施形態に係るエアゾール容器用吐出具を図示しており、その（Ａ）が斜視図、その（Ｂ）が平面図、その（Ｃ）が正面図、その（Ｄ）が（Ｃ）図のＤ−Ｄ線断面図である。
【図２】本発明の第二実施形態に係るエアゾール容器用吐出具を図示しており、その（Ａ）が斜視図、その（Ｂ）が平面図、その（Ｃ）が正面図、その（Ｄ）が（Ｃ）図のＤ−Ｄ線断面図である。
【発明を実施するための形態】
【００１７】
以下、添付の図面と共に本発明の一実施形態について説明する。
図１は、本発明の第一実施形態に係るエアゾール容器用吐出具を図示しており、その（Ａ）が斜視図、その（Ｂ）が平面図、その（Ｃ）が正面図、その（Ｄ）が（Ｃ）図のＤ−Ｄ線断面図である。
【００１８】
本発明に係るエアゾール容器用吐出具（以下単に「吐出具」と言う。）１０は、例えば整髪料等の内容物が収容されたエアゾール容器の上端部に装着される。
当該エアゾール容器については図示していないが、内部に吐出される内容物が収容され、容器の上端部には開閉バルブが備えられ、この開閉バルブから上方に向って内容物を噴射するバルブステムが延長し、このバルブステムが押下されることによって当該ステムの上端開口部から内部の内容物が吐出される。
【００１９】
本発明に係る吐出具１０は、このバルブステムに接続され、且つ、その下端周縁部がエアゾール容器の上方の外周縁部に冠着されるものである。
この吐出具１０は、その下方の基端冠着部１１が略円筒形状を有し、その下端外周縁部が図示はしていないエアゾール容器の上方外周縁部に冠着される。
【００２０】
その下面（底面）の略中央部には、エアゾール容器の上端部に設けられているバルブステムと嵌合するステム嵌合部１２が設けられ、このステム嵌合部１２から上方に縦方向通路１３が延長し、この縦方向通路１３が吐出口部１５の内部通路１４と接続する。
これら縦方向通路１３及び内部通路１４が吐出具１０の流通路を形成し、この流通路の入口部が上記ステム嵌合部１２となる。
また、この内部通路１４の上端の出口が吐出口１６を形成する。
【００２１】
先端に吐出口１６を有し、この吐出口１６を含む吐出口部分が吐出口部１５を形成し、この吐出口部１５の根元部の背面側には指で下方に押下することのできる押下部１８が設けられており、（Ｂ）図の平面図から解る通り、略３／４周程の切欠部１９が形成されているために、この押下部１８は下方に押し下げることができる。
この押下部１８を指で下方に押下げることにより、ステム嵌合部１２も同時に下方に押し下げられ、これによって図示はしていないバルブステムを押下出来るのである。
【００２２】
バルブステムが押下されることにより、エアゾール容器の内容物が前記バルブステムから吐出され、縦方向通路１３から吐出口部１５の内部通路１４を流通して上方先端部の吐出口１６から外部に吐出されることとなる。
上記構成は、一般的なエアゾール容器用吐出具と同様である。
また、本発明に係る吐出具１０の吐出口部１５の外径は、約１２ｍｍ程度である。
【００２３】
本発明においてその特徴部分は、吐出具１０の吐出口部１５の先端の吐出口１６の形状にある。
この吐出口部１５の上方先端部分は、ドーム状に湾曲し、その先端に円形の開口部（直径約６ｍｍ程度）が形成され、この開口部の周縁部から根元部側に向って５つの切込１６ｋが設けられている。
【００２４】
これらの切込１６ｋは、それぞれ略同一幅（約３．５ｍｍ）で、長手方向の根元部側に向って形成されている。
その長手方向長さは約９ｍｍ程度である。
更に、この切込１６ｋの基端部には、逆Ｖ字（鋭角三角形）形状の突起１６ｔが設けられている。この突起１６ｔは、上記５つの切込１６ｋのそれぞれに形成されている。
【００２５】
以上の吐出口部１５の構成により、エアゾール容器の内容物が吐出口１６から吐出されると、その内容物である例えば泡状の整髪料等の吐出物が単なる棒状（円柱状）の形状でなく、その外周面に多数の凹凸の角部及び谷部が形成された状態で吐出されることとなるのである。
【００２６】
このように多数の凹凸の存在により、その美観ばかりでなく、その外表面積が多くなることから、吐出された内容物が有する芳香成分から発散される芳香がより十分に発揮されることとなるのである。
【００２７】
図２は、本発明の第二実施形態に係るエアゾール容器用吐出具を図示しており、その（Ａ）が斜視図、その（Ｂ）が平面図、その（Ｃ）が正面図、その（Ｄ）が（Ｃ）図のＤ−Ｄ線断面図である。
【００２８】
本発明の第二実施形態に係る吐出具２０においても、上記第一実施形態と同様に例えば整髪料等の内容物が収容されたエアゾール容器の上端部に装着される。
当該エアゾール容器については図示していないが、上に説明したものと同じである。
【００２９】
本実施形態に係る吐出具２０は、図示省略したエアゾール容器のバルブステムに接続され、且つ、その下端周縁部がエアゾール容器の上方の外周縁部に冠着されるものである。
この吐出具２０は、その下方の基端冠着部１１が略円筒形状を有し、その下端外周縁部が図示していないエアゾール容器の上方外周縁部に冠着される。
【００３０】
その下面の略中央部には、エアゾール容器の上端部に設けられているバルブステムと嵌合するステム嵌合部１２が設けられ、このステム嵌合部１２から上方に縦方向通路１３が延長し、この縦方向通路１３が吐出口部１５の内部通路１４と接続する。
これら縦方向通路１３及び内部通路１４が吐出具１０の流通路を形成し、この流通路の入口部が上記ステム嵌合部１２となる。
また、この内部通路１４の上端の出口が吐出口１６を形成する。
【００３１】
吐出口部１５の根元部の背面側には指で下方に押下することのできる押下部１８が設けられており、（Ｂ）図の平面図から解る通り、略３／４周程の切欠部１９が形成されているために、この押下部１８は下方に押し下げることができる。
この押下部１８を指で下方に押下げることにより、ステム嵌合部１２も同時に下方に押し下げられ、これによって図示はしていないバルブステムを押下出来る。
【００３２】
バルブステムが押下されることにより、エアゾール容器内の内容物が前記バルブステムから吐出され、縦方向通路１３から吐出口部１５の内部通路１４を流通して上方先端部の吐出口１６から外部に吐出されることとなるのである。
上記構成は、上記第一実施形態に係る吐出具と同様である。
また、本実施形態に係る吐出具２０の吐出口部１５の外径は、略１２ｍｍ程度である。
【００３３】
本発明においてその特徴部分は、吐出具２０の吐出口部１５の先端の吐出口１６の形状にある。
この吐出口部１５の上方先端部分は、ドーム状に湾曲し、その先端に円形の開口部（直径約６ｍｍ程度）が形成され、この開口部の周縁部から根元部側に向って５つの切込１６ｋが設けられている。
【００３４】
これらの切込１６ｋは、それぞれ略Ｖ字形状を有しており、その開き角度は３０度であり、その切込深さは約６．５ｍｍである。
更に、この第二実施形態では、この切込１６ｋの基端部から長手方向の根元部側に向って略同一幅の切込延長部１６ｊを延長して設けている。
【００３５】
この切込延長部１６ｊの横幅は、約１ｍｍ程度、その長さは約５ｍｍ程度である。
この切込延長部１６ｊの構成が上記第一実施形態と異なるものである。
【００３６】
以上のような吐出口部１５の構成により、エアゾール容器の内容物が吐出口１６から吐出されると、その内容物である例えば泡状の整髪料等の吐出物が単なる棒状（円柱状）の形状でなく、その外周面に多数の凹凸の角部及び谷部が形成された状態で吐出されることとなるのである。
【００３７】
そして、この第二実施形態にあっては、上記切込延長部１６ｊの存在により、吐出された内容物の角部がより際立った状態に形成され、吐出物の外周面に形成された長手方向の角部がより長い時間維持されることとなるのである。
【００３８】
このように多数の凹凸の存在とその角部の形状維持により、その美観ばかりでなく、その外表面積が多く且つ維持されることとなり、吐出された内容物が有する芳香成分から発散される芳香がより十分に発揮されることとなるのである。
【００３９】
以上、実施形態について説明したが、本発明においては以下の通り種々設計変更が可能である。
本発明に係る吐出具の吐出口部以外の外形形状は任意に設計変更することができる。
また、その吐出口部のサイズ及び切込の数に関しては適宜設計変更することができる。
【００４０】
要するに、本発明においては、その切込の基端部に突起を設けること、或いは、その切込の基端部に更に略同一幅の切込延長部を形成することが特徴となっており、その構成を備えていれば、それ以外の構成については適宜設計変更することができる。
【００４１】
上記第一実施形態における切込の幅やその基端部に設けた突起の角度、及び、上記第二実施形態における切込の角度や切込延長部の幅も適宜設計変更することができる。
勿論、エアゾール容器内に収容される内容物は、芳香成分を含むものであれば、どのようなものであっても利用することができる。
【００４２】
以上、本発明は、その吐出口部の形態を創案することにより、吐出された内容物の美観を向上させることは勿論のこと、エアゾール容器内の内容物の芳香効果を向上させることのできるエアゾール容器用吐出具を提供することができたものである。
【符号の説明】
【００４３】
１０、２０  エアゾール容器用吐出具
１１  基端冠着部
１２  ステム嵌合部
１３  縦方向通路
１４  内部通路
１５  吐出口部
１６  吐出口
１６ｋ  切込
１６ｔ  突起
１６ｊ  切込延長部
１８  押下部
【図１】
0006734699.tif 000002
【図２】
0006734699.tif 000003